(57)【要約】【課題】商品トレイの清掃を容易に行うことができ、商品トレイを清潔に保つことのできるショーケースを提供する。【解決手段】陳列室２０内に商品陳列用の棚板４０を備えたショーケース１において、棚板４０は、商品トレイ４２を着脱自在に備え、商品トレイ４２は、商品を支持する商品支持部材４４を着脱自在に備えている。【選択図】図４
2017012237.tif 000002
【特許請求の範囲】
【請求項１】
陳列室内に商品陳列用の棚板を備えたショーケースにおいて、
前記棚板は、商品トレイを着脱自在に備え、前記商品トレイは、商品を支持する商品支持部材を着脱自在に備えていることを特徴とするショーケース。
【請求項２】
前記商品支持部材は、前記商品を載置する商品載置部と前記商品の背面を支持する商品支持部とを備え、
前記商品支持部材は、前記商品トレイに形成された係合溝に係合される係合突起を備えていることを特徴とする請求項１に記載のショーケース。
【請求項３】
前記陳列室の両側で前記棚板を支持する棚板引き出し機構を備え、
前記棚板引き出し機構は、前記棚板を引き出した際に、前記棚板の前端が前記陳列室の外部まで移動可能とされていることを特徴とする請求項１または請求項２に記載のショーケース。
【請求項４】
前記棚板引き出し機構は、前記陳列室内に取り付けられガイドレールに沿って摺動自在とされた第１移動部材と、一端が前記第１移動部材に連結された可動レールと、前記ガイドレールおよび前記可動レールに沿って摺動自在とされ前記棚板を支持する第２移動部材と、を備え、
前記第２移動部材は、前記ガイドレールから外れて前記可動レールのみで支持された状態で移動可能であることを特徴とする請求項３に記載のショーケース。
【発明の詳細な説明】
【技術分野】
【０００１】
本発明は、ショーケースに係り、特に、陳列室の後方から商品を取り出すショーケースに関する。
【背景技術】
【０００２】
従来、例えば、コンビニエンスストアなどの店舗のレジカウンタ上に据え付ける卓上タイプのショーケースが知られている。
このような卓上タイプのショーケースとして、従来、透光性の前壁と、前方が透光性の左右の側壁と、ベース部と、ルーフ部と、陳列室に後方からアクセスするための開閉可能なドアとを有し、ベース部には、液冷媒方式のペルチェユニット、液冷媒を循環するためのポンプなどを収容する機械室が設けられたショーケースが開示されている（例えば、特許文献１参照）。
通常、店舗の店員は、レジカウンタ内に居るので、ショーケースの後方、すなわち、陳列室の後方から陳列室内の商品を取ったり、陳列室に商品を並べたりできる構成となっている。
また、陳列室内の全体にわたり、後方から容易にアクセスできる必要がある。また、陳列室に食料品を展示する場合は、陳列室内を定期的に清掃する必要があり、その際、カウンタの内側から陳列室内を容易に清掃できることが望ましい。
【先行技術文献】
【特許文献】
【０００３】
【特許文献１】特開２００８−０９６０５４号公報
【発明の概要】
【発明が解決しようとする課題】
【０００４】
前記特許文献１のものでは、陳列室の内部で商品から発生した異物を回収したトレイは、ドアを開けて陳列室の後側を全開とすることにより、陳列室の床面とほぼ同じ幅のトレイであっても後方に引き抜くことができる構成となっている。そのため、トレイを引き抜いて、異物を捨て、トレイを洗浄することが可能とされている。
しかしながら、食料品がドーナツのような焼き菓子で、菓子表面のナッツ類やチョコレートなどによるコーティング状態を顧客に見せることで販売促進を図る場合、焼き菓子を斜めに立てて展示する必要がある。そのため、トレイ構造が複雑になり、清掃が難しくなるという問題を有している。
本発明は、前記した点に鑑みてなされたものであり、商品トレイの清掃を容易に行うことができ、商品トレイを清潔に保つことのできるショーケースを提供することを目的とする。
【課題を解決するための手段】
【０００５】
前記目的を達成するために、本発明は、陳列室内に商品陳列用の棚板を備えたショーケースにおいて、前記棚板は、商品トレイを着脱自在に備え、前記商品トレイは、商品を支持する商品支持部材を着脱自在に備えていることを特徴とする。
【０００６】
また、前記構成において、前記商品支持部材は、前記商品を載置する商品載置部と前記商品の背面を支持する商品支持部とを備え、前記商品支持部材は、前記商品トレイに形成された係合溝に係合される係合突起を備えていることを特徴とする。
【０００７】
また、前記構成において、前記陳列室の両側で前記棚板を支持する棚板引き出し機構を備え、前記棚板引き出し機構は、前記棚板を引き出した際に、前記棚板の前端が前記陳列室の外部まで移動可能とされていることを特徴とする。
【０００８】
また、前記構成において、前記棚板引き出し機構は、前記陳列室内に取り付けられガイドレールに沿って摺動自在とされた第１移動部材と、一端が前記第１移動部材に連結された可動レールと、前記ガイドレールおよび前記可動レールに沿って摺動自在とされ前記棚板を支持する第２移動部材と、を備え、前記第２移動部材は、前記ガイドレールから外れて前記可動レールのみで支持された状態で移動可能であることを特徴とする。
【発明の効果】
【０００９】
本発明によれば、棚板に商品トレイを着脱自在に設けるとともに、商品トレイに商品支持部材を着脱自在に設けるようにしているので、商品トレイおよび商品支持部材を棚板から容易に取り外すことができ、商品により汚れた商品トレイおよび商品支持部材を容易に洗浄することができ、商品トレイおよび商品支持部材を常に清潔に保つことができる。
【図面の簡単な説明】
【００１０】
【図１】本発明の実施形態に係るショーケースの正面図である。
【図２】ショーケースの側面図である。
【図３】ショーケースの背面図である。
【図４】ショーケースの後方から見た斜視図である。
【図５】棚板部分の斜視図である。
【図６】図５の棚板中央側からみた側面図である。
【図７】棚板を引き出した状態を示す斜視図である。
【図８】図７の棚板中央側からみた側面図である。
【図９】棚板部分の斜視図である。
【図１０】棚板から商品支持部材を取り外した状態を示す分解斜視図である。
【図１１】棚板から商品トレイおよび商品支持部材をそれぞれ取り外した状態を示す分解斜視図である。
【図１２】商品支持部材に商品を載置した状態を示す斜視図である。
【発明を実施するための形態】
【００１１】
以下、図面を参照して本発明の実施形態について説明する。
図１は、本発明の実施形態に係るショーケース１の正面図、図２は、本実施形態のショーケースの側面図である。図３は、本実施形態のショーケースの背面図、図４は、本実施形態のショーケースの後方から見た斜視図である。
【００１２】
図１から図４に示すように、ショーケース１は、ショーケース本体１０を備えている。ショーケース本体１０の四隅には、金属材料からなるフレーム１１がそれぞれ立設されており、各フレーム１１の上端部には、金属材料からなる天板１２が取り付けられている。
各フレーム１１で囲まれた前面および両側面には、それぞれ前面ガラス１３および側面ガラス１４がそれぞれ嵌め込まれている。
また、各フレーム１１で囲まれた後面には、扉１５が開閉自在に取り付けられている。扉１５は、枠体１６によりガラス板１７を支持した構造を有しており、扉１５は、その一側端をヒンジ機構１８を介してフレーム１１に取り付けられている。これにより、扉１５は、ヒンジ機構１８を中心として横方向に開閉自在とされている。扉１５の他側端には、取っ手１９が取り付けられている。
また、前述のように前面ガラス１３、側面ガラス１４、天板１２および扉１５で囲まれた空間は、商品を陳列する陳列室２０とされている。
陳列室２０の上部前方には、例えば、ＬＥＤなどからなり、陳列室２０の内部を照明する照明装置２１が設けられている。
【００１３】
また、ショーケース本体１０の内部には、陳列室２０の内部を所定の温度に保持するための温度調整機構（図示せず）が収容されている。
なお、本実施形態においては、陳列室２０の前面、側面および扉１５にガラスを用いるようにしたが、必ずしもガラスに限られるものではなく、例えば、アクリル板などの透明な樹脂材料などを用いることも可能である。
【００１４】
図５は、棚板部分の斜視図、図６は、図５の棚板中央側からみた側面図である。図７は、棚板を引き出した状態を示す斜視図、図８は、図７の棚板中央側からみた側面図である。
図４に示すように、後方の両側フレーム１１には、棚板引き出し機構３０が片持ち支持により取り付けられている。
図５から図８に示すように、棚板引き出し機構３０は、ショーケース１の前後方向に延在する一対のガイドレール３１を備えており、ガイドレール３１は、金属材料により形成されている。
また、ガイドレール３１は、上下方向に所定の間隔をもって複数段（本実施形態においては、４段）取り付けられている。
ガイドレール３１は、下部支持面３２と、下部支持面３２の陳列室２０の内側端縁から上方に延在する側部ガイド面３３と、下部支持面３２と所定間隔をもって対向配置された上部支持面３４とをそれぞれ備えている。
【００１５】
また、ガイドレール３１には、例えば、樹脂材料からなる第１移動部材３５が摺動自在に設けられており、ガイドレール３１の後方端には、ストッパ部材（図示せず）が設けられている。
第１移動部材３５は、ガイドレール３１に沿って往復動できるように構成されており、ガイドレール３１の最も後端では、ストッパ部材によりそれ以上の移動が規制されるように構成されている。すなわち、第１移動部材３５は、ガイドレール３１の後端から外れることはない。
また、第１移動部材３５より後方側には、第２移動部材３６が摺動自在に設けられており、第２移動部材３６は、ガイドレール３１に沿って往復動できるとともに、ストッパ部材により移動が規制されないように構成されている。
【００１６】
また、第１移動部材３５の後端には、可動レール３７の前端が連結されており、可動レール３７の後方は、第２移動部材３６を貫通するように構成されている。第２移動部材３６は、可動レール３７に沿って摺動自在とされている。
また、第２移動部材３６には、棚板４０が支持されている。すなわち、棚板４０の両側下面には、下方に延在する支持板４１が突設されており、この支持板４１を第２移動部材３６にねじなどにより固定されることで棚板４０を支持するように構成されている。
【００１７】
このような棚引き出し機構は、ショーケース１の後面から棚板４０を引き出し操作することにより、棚板４０に固定された第２移動部材３６がガイドレール３１に沿ってショーケース１の後方に移動される。
第２移動部材３６が、可動レール３７の後端部まで移動すると、第２移動部材３６の移動に伴って可動レール３７も後方に移動され、第１移動部材３５が、ガイドレール３１に沿って移動される。
そして、第１移動部材３５が、ガイドレール３１の後端まで移動するとストッパ部材により移動が規制されるが、第２移動部材３６がガイドレール３１の後端に移動した場合、第２移動部材３６は、ストッパ部材により移動が規制されないので、ガイドレール３１を外れて可動レール３７のみにより保持されながら可動レール３７に沿って移動される。
【００１８】
このとき、第１移動部材３５は、ガイドレール３１の後端部において上部保持面によりその上面を保持されているので、第１移動部材３５に連結された可動レール３７もほぼ水平状態に保持することが可能となる。
その後、第２移動部材３６が可動レール３７の後端部まで移動されると、この状態で、棚板４０は、ケースの外部まで完全に引き出されるようになっている。棚板４０がショーケース１の外部に完全に引き出されるように、可動レール３７の長さを設定するようにしている。
【００１９】
図９は、棚板部分の斜視図、図１０は、棚板から商品支持部材を取り外した状態を示す分解斜視図、図１１は、棚板から商品トレイおよび商品支持部材をそれぞれ取り外した状態を示す分解斜視図である。
図９から図１１に示すように、棚板４０は、周囲が立ち上げられた四角皿状に形成されており、棚板４０の内側には、平板状の商品トレイ４２が収容されている。商品トレイ４２の後方には、円形状の孔部４３が形成されており、利用者が孔部４３に使用者が指を挿入して引き上げることにより、棚板４０から商品トレイ４２を取り外すことができるように構成されている。
商品トレイ４２の上面には、商品を立設した状態に保持するための商品支持部材４４が設置されている。商品支持部材４４は、本実施形態においては、前後に３列設置されている。
【００２０】
商品支持部材４４は、断面形状三角形に形成された商品支持部４５を備えており、商品支持部４５の前端縁には、前方に突出する商品載置部４６が段状に一体に形成されている。
図１２は、商品支持部材４４にドーナツなどの商品５０を載置した状態を示す斜視図である。図１２に示すように、商品載置部４６に商品５０を載置した状態で、商品の背面側を商品支持部４５で支持するように構成されている。これにより、商品５０を斜めに立てて展示することが可能となる。
また、商品支持部材４４の後端縁の両側には、下方に突出する係合突起４７がそれぞれ形成されている。
商品トレイ４２の両側には、それぞれ係合溝４８が形成されており、商品支持部材４４の係合突起４７を係合溝４８に係合させることにより、商品支持部材４４を移動しない状態に保持することができるように構成されている。
商品支持部材４４は、係合突起４７の溝への係合を解除することにより、容易に取り外しが可能に構成されている。
【００２１】
なお、商品支持部４５は、ステンレスなどの金属材料で形成してもよく、例えば、アクリルなどの透明材料で形成してもよい。また、前記実施形態においては、商品支持部材４４を板状部材を折曲形成することで構成するようにしているが、商品支持部４５の一部または全体をワイヤ材料で形成してもよい。
また、本実施形態においては、商品トレイ４２の両側に係合溝４８を形成し、商品支持板４４の係合突起４７を係合溝４８に係合させる構成としたが、商品トレイ４２と商品支持部４５を曲げ加工などで一体に形成し、商品支持部４５が一体形成された商品トレイ４２を棚板４０の内側に取り外し自在に収容する構成としてもよい。
また、本実施形態においては、商品トレイ４２の両側に係合溝４８を形成し、商品支持板４４の係合突起４７を係合溝４８に係合させる構成としたが、商品トレイ４２を設けずに棚板４０の両側に、直接係合溝４８を形成し、商品支持板４４の係合突起４７を係合溝４８に係合させる構成としてもよい。
【００２２】
次に、本実施形態の作用について説明する。
陳列室２０の棚板４０に陳列された商品を取り出す場合は、まず、扉１５を開いて、陳列室２０の後方から、所望の商品が陳列された棚板４０を後方に引き出す。
この棚板４０の引き出し操作により、棚板４０に固定された第２移動部材３６がガイドレール３１に沿ってショーケース１の後方に移動される。第２移動部材３６が、可動レール３７の後端部まで移動すると、第２移動部材３６の移動に伴って可動レール３７も後方に移動され、第１移動部材３５が、ガイドレール３１に沿って移動される。
そして、第１移動部材３５が、ガイドレール３１の後端まで移動するとストッパ部材により移動が規制される。一方、第２移動部材３６がガイドレール３１の後端に移動した場合、第２移動部材３６は、ストッパ部材により移動が規制されないので、ガイドレール３１を外れて可動レール３７のみにより保持されながら可動レール３７に沿って移動される。
【００２３】
その後、第２移動部材３６が可動レール３７の後端部まで移動されると、この状態で、棚板４０は、ショーケース１の外部まで完全に引き出され、この状態で、商品支持部材４４に支持された商品の取り出しを行うことができる。
【００２４】
その後、棚板４０を陳列室２０に押し込むことにより、第２移動部材３６が可動レール３７に沿って前方に押し込まれ、ガイドレール３１に挿入される。その後、さらに棚板４０を押し込むことにより、第１移動部材３５および第２移動部材３６がともにガイドレール３１に沿って移動し、棚板４０が陳列室２０の内部に押し込まれる。
【００２５】
以上説明したように、本実施形態によれば、棚板４０に商品トレイ４２を着脱自在に設けるとともに、商品トレイ４２に商品支持部材４４を着脱自在に設けるようにしているので、商品トレイ４２および商品支持部材４４を棚板４０から容易に取り外すことができ、商品により汚れた商品トレイ４２および商品支持部材４４を容易に洗浄することができ、商品トレイ４２および商品支持部材４４を常に清潔に保つことができる。
また、商品支持部材４４に、商品トレイ４２に形成された係合溝４８に係合される係合突起４７を設けているので、この商品支持部材４４の係合突起４７を商品トレイ４２の係合溝４８から外すだけで、商品支持部材４４を商品トレイ４２から容易に取り外すことができる。
【００２６】
また、棚板引き出し機構３０により、棚板４０の前端が陳列室２０の外部まで移動可能としているので、棚板４０のすべてをショーケース１の外部に露出させることができ、その結果、商品の陳列作業および取り出し作業を極めて容易に行うことができる。
さらに、棚板引き出し機構３０を陳列室２０内に取り付けられガイドレール３１に沿って摺動自在とされた第１移動部材３５と、一端が第１移動部材３５に連結された可動レール３７と、ガイドレール３１および可動レール３７に沿って摺動自在とされ前記棚板４０を支持する第２移動部材３６と、を備え、第２移動部材３６をガイドレール３１から外れて可動レール３７のみで支持された状態で移動可能としているので、極めて簡単な構成で、棚板４０をショーケース１の外部まで移動させることができる。
【００２７】
以上、本実施の形態に基づいて本発明を説明したが、本発明はこれらの実施形態に限定されるものではない。あくまでも本発明の実施の態様を例示するものであるから、本発明の趣旨を逸脱しない範囲で種々変更が可能である。
【符号の説明】
【００２８】
１  ショーケース
１０  ショーケース本体
１１  フレーム
１２  天板
１３  前面ガラス
１４  側面ガラス
１５  扉
２０  陳列室
３０  棚板引き出し機構
３１  ガイドレール
３５  第１移動部材
３６  第２移動部材
３７  可動レール
４０  棚板
４２  商品トレイ
４４  商品支持部材
４５  商品支持部
４６  商品載置部
４７  係合突起
４８  係合溝
５０  商品
【図１】
2017012237.tif 000003
【図２】
2017012237.tif 000004
【図３】
2017012237.tif 000005
【図５】
2017012237.tif 000006
【図７】
2017012237.tif 000007
【図９】
2017012237.tif 000008
【図１０】
2017012237.tif 000009
【図１１】
2017012237.tif 000010
【図１２】
2017012237.tif 000011
【図４】
2017012237.tif 000012
【図６】
2017012237.tif 000013
【図８】
2017012237.tif 000014